(57)【特許請求の範囲】
【請求項１】
内部に作動油を貯蔵する略直方体形状の油タンクと、貯蔵作動油を吸入吐出する油圧ポンプと、油圧ポンプを回転駆動する電動機と、油圧ポンプより吐出して負荷側に供給する作動油および／または負荷側から油タンクに還流する作動油を制御する制御弁と、制御弁を配設面に配設する略直方体形状のマニホールドと、負荷側から油タンクに還流する作動油に混入する塵埃を除去するリターンフィルタとを具備し、リターンフィルタは作動油の流入口と流出口とを形成したフィルタ本体に、作動油に混入する塵埃を除去するフィルタエレメントを内部に収装したケーシングを着脱自在に装着して構成し、油圧ポンプと電動機とを同芯状にして油タンクの上板上に載置し、マニホールドとリターンフィルタとを油圧ポンプと電動機との同一側の側方に配置し、油タンクの上板に係合して固定する板状の水平部と、水平部と略直交して前記油タンクの側壁と略平行に延びる板状の垂直部とから構成する取付部材を有し、マニホールドは取付部材の垂直部に取付けて、制御弁を配設する配設面を外方に向け、リターンフィルタはフィルタ本体から外方に向けてケーシングを配置したことを特徴とする油圧装置。
【請求項２】
前記マニホールドの配設面には、複数の制御弁を並列に配設したことを特徴とする請求項１に記載の油圧装置。
【発明の詳細な説明】
【技術分野】
【０００１】
本発明は、作動油を貯蔵する油タンクの上板上に貯蔵作動油を吸入吐出して負荷側に供給する油圧ポンプと油圧ポンプを回転駆動する電動機とを載置し、油圧ポンプより吐出する作動油を制御する制御弁を配設したマニホールドおよび負荷側から油タンクに還流する作動油に混入する塵埃を除去するリターンフィルタを有する油圧装置に関する。
【背景技術】
【０００２】
従来の油圧装置は、作動油を貯蔵する油タンクの上板上に油圧ポンプと油圧ポンプを回転駆動する電動機とを載置し、油圧ポンプの回転駆動で油タンクに貯蔵した作動油を吸入吐出する。油圧ポンプより吐出した作動油は、上板上に載置したマニホールドに配設した制御弁で制御して負荷側としてのアクチュエータに供給する。アクチュエータから戻る作動油は、制御弁、マニホールドを経て戻り配管に配設したリターンフィルタで作動油に混入する塵埃を除去して油タンクに還流している（たとえば、特許文献１参照）。
【先行技術文献】
【特許文献】
【０００３】
【特許文献１】実願昭５１−３１８２１号（実開昭５２−１２３２９７号）のマイクロフィルム
【発明の概要】
【発明が解決しようとする課題】
【０００４】
ところで、特許文献１に開示された油圧装置では、油タンクの上板上にマニホールドおよびリターンフィルタを配置しているため、この配置する面積を確保するのに上板が大型化し、これに伴い油タンクが大型化し、装置全体が大型化する問題点があった。
【０００５】
本発明の課題は、油タンクの上板を小型化し、装置全体の大型化を抑制し得る油圧装置を提供するものである。
【課題を解決するための手段】
【０００６】
かかる課題を達成すべく、本発明は次の手段をとった。即ち、
内部に作動油を貯蔵する略直方体形状の油タンクと、貯蔵作動油を吸入吐出する油圧ポンプと、油圧ポンプを回転駆動する電動機と、油圧ポンプより吐出して負荷側に供給する作動油および／または負荷側から油タンクに還流する作動油を制御する制御弁と、制御弁を配設面に配設する略直方体形状のマニホールドと、負荷側から油タンクに還流する作動油に混入する塵埃を除去するリターンフィルタとを具備し、リターンフィルタは作動油の流入口と流出口とを形成したフィルタ本体に、作動油に混入する塵埃を除去するフィルタエレメントを内部に収装したケーシングを着脱自在に装着して構成し、油圧ポンプと電動機とを同芯状にして油タンクの上板上に載置し、マニホールドとリターンフィルタとを油圧ポンプと電動機との同一側の側方に配置し、油タンクの上板に係合して固定する板状の水平部と、水平部と略直交して前記油タンクの側壁と略平行に延びる板状の垂直部とから構成する取付部材を有し、マニホールドは取付部材の垂直部に取付けて、制御弁を配設する配設面を外方に向け、リターンフィルタはフィルタ本体から外方に向けてケーシングを配置したことを特徴とする油圧装置がそれである。
【０００７】
この場合、前記マニホールドの配設面には、複数の制御弁を並列に配設してもよい。
【発明の効果】
【０００８】
以上詳述したように、請求項１に記載の発明は、油圧ポンプと電動機とを同芯状にして油タンクの上板上に載置し、マニホールドとリターンフィルタとを油圧ポンプと電動機との同一側の側方に配置し、油タンクの上板に係合して固定する板状の水平部と、水平部と略直交して前記油タンクの側壁と略平行に延びる板状の垂直部とから構成する取付部材を有し、マニホールドは取付部材の垂直部に取付けて、制御弁を配設する配設面を外方に向け、リターンフィルタはフィルタ本体から外方に向けてケーシングを配置した。このため、マニホールドとリターンフィルタはその全部を上板上に配置しなくてよいから、油タンクの上板を小型化でき、装置全体の大型化を抑制することができる。また、マニホールドは制御弁を配設する配設面を外方に向けて配置したため、制御弁を積層して複数個を配設することが可能で、用途に応じた機能を有する制御弁を追加することができ、広範囲の用途に適用することができる。また、取付部材は水平部を油タンクの上板へ係合して容易に固定できると共に、板状で取り扱いやすい垂直部へマニホールドを容易に取付けできるから、マニホールドを直接油タンクに取付けるものと比し、マニホールドを容易に取付けることができる。
【００１０】
また、請求項２に記載の発明は、マニホールドの配設面には、複数の制御弁を並列に配設した。このため、並列の油圧回路に好適に対応することができる。
【図面の簡単な説明】
【００１１】
【図１】本発明の一実施形態を示した油圧装置の正面図である。
【図２】図１の左側面図である。
【図３】図１の平面図である。
【図４】一実施形態の油圧回路図である。
【発明を実施するための形態】
【００１２】
以下、本発明の一実施形態を図面に基づき説明する。
図１ないし図４において、１は内部に作動油を貯蔵するタンクで、上部を開口した略直方体形状に形成し、上部開口を着脱自在の上板２で閉塞している。３は油圧ポンプ４を回転駆動する電動機で、上板２上に複数の緩衝部材５、基板部材６を介して載置固定している。油圧ポンプ４は、上板２上で電動機３の一側面に同芯状に固定し、電動機３の回転駆動で油タンク１の貯蔵作動油を吸入管路４Ａより吸入して吐出管路４Ｂに吐出する。油タンク１の一側面上方には作動油の貯蔵量を外部から視認する油面計７Ａを保護する保護部材７を配置すると共に、油タンク１の一側面下方には貯蔵作動油を排出する排出口を着脱自在に閉塞する栓部材８を設けている。油タンク１の上板２には、作動油を油タンク１内部に注油する注油口兼エアブリーザ９と、装置を吊り上げて移動するための複数のフック部材１０と、油圧ポンプ４のドレンをドレン導入管路１１より導入して冷却し、冷却したドレンをドレン導出管路１２より油タンク１に還流する冷却器１３を設けている。油タンク１の下方には、油タンク１より大面積の油受け１４を設置し、漏出した作動油を回収する。
【００１３】
１５はマニホールド１６を取付ける取付部材で、油タンク１の上板２に係合する板状の水平部１５Ａと、水平部１５Ａと略直交して油タンク１の側壁１Ａと略平行に延びる板状の垂直部１５Ｂとから構成している。取付部材１５は、油圧ポンプ４と電動機３との側方で、水平部１５Ａを２個のボルト部材１７で着脱自在に上板２に固定している。マニホールド１６は、略直方体形状に形成し、４個のボルト部材１８で着脱自在に取付部材１５の垂直部１５Ｂに固定している。そして、マニホールド１６は油タンク１の側壁１Ａと対向して略平行に配置して、制御弁１７Ａ、１７Ｂを配設する配設面１６Ａを外方に向けている。
【００１４】
制御弁１７Ａ、１７Ｂは、作動油の流れ方向を切換制御する電磁方向切換弁で、油圧ポンプ４から吐出管路４Ｂに吐出して図示しないアクチュエータに供給する作動油やアクチュエータから油タンク１に還流する作動油を制御するもので、マニホールド１６の配設面１６Ａに上下方向へ並列に２個を配設している。吐出管路４Ｂは、マニホールド１６の配設面１６Ａと直交する上面１６Ｂに接続している。マニホールド１６の配設面１６Ａおよび上面１６Ｂと直交する一側面１６Ｃには、各制御弁１７Ａ、１７Ｂに対応して各々２個で計４個の接続ポート１８Ａ、１８Ｂ、１８Ｃ、１８Ｄを開口し、アクチュエータに配管で接続可能にする。
【００１５】
１９はアクチュエータ側から油タンク１に還流する作動油を流通する戻り管で、作動油に混入する塵埃を除去するリターンフィルタ２０を配設している。リターンフィルタ２０はアクチュエータ側からの作動油を流入する流入口２０Ａと塵埃を除去した作動油を流出する流出口２０Ｂとを形成したフィルタ本体２１と、作動油に混入する塵埃を除去するフィルタエレメントを内部に収装してフィルタ本体２１に着脱自在に装着したケーシング２２とから構成している。リターンフィルタ２０には、ばね２３で付勢されて流入口２０Ａと流出口２０Ｂとの間を遮断する弁体２４を有している。弁体２４はフィルタエレメントと並列に配設し、フィルタエレメントの目つまりにより流入口２０Ａ側の作動油の圧力に基づく作用力がばね２３力を上回ると開作動して、流入口２０Ａと流出口２０Ｂとの間を連通する。
【００１６】
２５はリターンフィルタ２０を取付ける取付ブラケットで、油圧ポンプ４と電動機３との側方で、マニホールド１６を配置したのと同一側に配置し、油タンク１の上板２上に立設している。取付ブラケット２５には、垂直方向に延びる長孔２６Ａ、２６Ｂを２個形成し、各長孔２６Ａ、２６Ｂを挿通してボルト部材２７Ａ、２７Ｂをフィルタ本体２１に螺着している。フィルタ本体２１はボルト部材２７Ａ、２７Ｂの締め付けで取付ブラケット２５に取付け、長孔２６Ａ、２６Ｂの範囲内で垂直方向へ移動自在に取付けている。フィルタ本体２１に装着したケーシング２２は、取付ブラケット２５へのフィルタ本体２１の取付けで、外方に向けて配置している。
【００１７】
戻り管１９は、マニホールド１６の上面１６Ｂとフィルタ本体２１の流入口２０Ａとの間を接続する第１戻り管１９Ａと、フィルタ本体２１の流出口２０Ｂと油タンク１との間を接続して先端部を貯蔵作動油中に浸漬する第２戻り管１９Ｂとから構成している。第１戻り管１９Ａは可撓性で、フィルタ本体２１の上下移動に支障をきたさないよう湾曲自在に設けている。第２戻り管１９Ｂは鋼管から直線状に形成し、シール部材３０により上板２を密封して貫通し、フィルタ本体２１の上方への移動で貯蔵作動油中に浸漬した先端部を貯蔵作動油の油面より上方へ引き出し可能としている。
【００１８】
次に、かかる構成の作動を説明する。
マニホールド１６の接続ポート１８Ａ、１８Ｂおよび接続ポート１８Ｃ、１８Ｄをそれぞれ図示しないアクチュエータに接続し、電動機３によって油圧ポンプ４を回転駆動すると、油圧ポンプ４は吸入管路４Ａより油タンク１に貯蔵した作動油を吸入して吐出管路４Ｂに吐出する。この吐出した作動油は、マニホールド１６の内部を流れ、制御弁１７Ａおよび制御弁１７Ｂで制御されて制御ポート１８Ａまたは１８Ｂおよび制御ポート１８Ｃまたは１８Ｄよりアクチュエータに供給される。アクチュエータからの戻り油は、制御ポート１８Ｂまたは１８Ａおよび制御ポート１８Ｄまたは１８Ｃを流れて制御弁１７Ａおよび制御弁１７Ｂで制御され、マニホールド１６の内部より第１戻り管１９Ａを流れ、リターンフィルタ２０で塵埃を除去され、第２戻り管１９Ｂを流れて油タンク１に還流する。このとき、リターンフィルタ２０の弁体２４はばね２３で付勢されて閉じている。
【００１９】
リターンフィルタ２０のフィルタエレメントが目つまりすると、作動油が流れにくくなり、流入口２０Ａ側の作動油の圧力が上昇する。この圧力に基づく作用力がばね２３力を上回ると、弁体２４が開作動し、作動油は、フィルタエレメントを介さず第２戻り管１９Ｂを流れて油タンク１に還流する。
【００２０】
目つまりしたフィルタエレメントを新しいフィルタエレメントに交換すると、作動油がフィルタエレメントを介して流れるようになり、流入口２０Ａ側の圧力が低下し、弁体２４がばね２３力で付勢されて流入口１７と流出口１８との間を遮断し、元の状態となる。
【００２１】
かかる作動で、油圧ポンプ４と電動機３とを同芯状にして油タンク１の上板２上に載置し、マニホールド１６とリターンフィルタ２０とを油圧ポンプ４と電動機３との同一側の側方に配置し、マニホールド１６は油タンク１の側壁１Ａと対向して略平行に配置して、制御弁１７Ａ、１７Ｂを配設する配設面１６Ａを外方に向け、リターンフィルタ２０はフィルタ本体２１から外方に向けてケーシング２２を配置した。このため、マニホールド１６とリターンフィルタ２０はその全部を上板２上に配置しなくてよいから、油タンク１の上板２を小型化でき、装置全体の大型化を抑制することができる。また、マニホールド１６は制御弁１７Ａ、１７Ｂを配設する配設面１６Ａを外方に向けて配置したため、制御弁１７Ａ、１７Ｂとしての電磁方向切換弁とマニホールド１６の配設面１６Ａとの間に、他の制御弁を積層して複数個を配設することが可能で、用途に応じた機能を有する制御弁を追加することができ、広範囲の用途に適用することができる。
【００２２】
また、油タンク１の上板２に係合して固定する板状の水平部１５Ａと、水平部１５Ａと略直交して油タンク１の側壁１Ａと略平行に延びる板状の垂直部１５Ｂとから構成する取付部材１５を有し、取付部材１５の垂直部１５Ｂにマニホールド１６を取付けた。このため、取付部材１５は水平部１５Ａを油タンク１の上板２へ係合して容易に固定できると共に、板状で取り扱いやすい垂直部１５Ｂへマニホールド１６を容易に取付けできるから、マニホールドを直接油タンクに取付けるものと比し、マニホールド１６を容易に取付けることができる。
【００２３】
また、マニホールド１６の配設面１６Ａには、複数の制御弁１７Ａ、１７Ｂを並列に配設した。このため、並列の油圧回路に好適に対応することができる。
【００２４】
また、油タンク１の上板２上に取付ブラケット２５を立設し、取付ブラケット２５には垂直方向に延びる長孔２６Ａ、２６Ｂを形成し、長孔２６Ａ、２６Ｂを挿通するボルト部材２７Ａ、２７Ｂの締め付けでリターンフィルタ２０のフィルタ本体２１を取付ブラケット２５に取付けた。このため、長孔２６Ａ、２６Ｂ内の任意の位置でリターンフィルタ２０の垂直方向の位置を設定でき、これに伴い第２戻り管１９Ｂの先端部の位置も設定できるから、油タンク１の貯蔵作動油量に応じた最適位置に第２戻り管１９Ｂの先端部を位置することができる。
【００２５】
また、リターンフィルタ２０は、取付ブラケット２５に取付けたフィルタ本体２１に、水平方向の外方に向けてケーシング２２を装着している。このため、フィルタ本体２１の垂直方向の上下位置に空間を確保することができ、フィルタ本体２１の上下位置に第１戻り管１９Ａと第２戻り管１９Ｂとを略垂直方向に取付けることができ、リターンフィルタ２０、第１戻り管１９Ａ、第２戻り管１９Ｂをコンパクトに配置することができる。
【００２６】
なお、一実施形態では、油圧ポンプ４を電動機３の一側面に固定したが、油圧ポンプを油タンクの上板上に載置固定しても良い。また、マニホールド１６には制御弁１７Ａ、１７Ｂを並列に２個を配設したが、これに限定されるものではなく、制御弁を１個や並列に３個以上形成してもよいことは勿論である。
【符号の説明】
【００２７】
１：油タンク
２：上板
３：電動機
４：油圧ポンプ 
１５：取付部材
１５Ａ：水平部
１５Ｂ：垂直部
１６：マニホールド
１６Ａ：配設面
１７Ａ、１７Ｂ：制御弁
２０：リターンフィルタ
２１：フィルタ本体
２２：ケーシング
【図１】
0006716294.tif 000002
【図２】
0006716294.tif 000003
【図３】
0006716294.tif 000004
【図４】
0006716294.tif 000005